(57)【要約】本発明は、光導波路、特にケーブルスリーブの組織的収納又は搬送用装置に関する。上記ケーブルスリーブ（３０）は、フレーム（３７）と、互いに上に重ね合わさって枢転可能に上記フレーム（３７）の正面側（４０）と背面側（４１）に取り付けられた複数の添え継ぎ容器（４９）とからなる。導波ファイバがスプライスケース（４９）に水平に隣接する少なくとも一つの垂直狭側部（４３）の領域にガイドされるように、少なくとも一つの垂直狭側部（４３）に導波ファイバのファイバガイド部材（５０）が設けられている。引き出し（８２）がフレーム（３７）にガイドされ、フレーム（３７）の垂直狭側部（４３）から水平方向に引き出すことができる。引き出し（８２）は、内側に押し込まれた状態でフレーム（３７）の正面側（４０）と背面側（４１）とにそれぞれ割り当て割れたスプライスケース（４９）の間に位置する。引き出し（８２）は、連続した導波ファイバのコアの束を収容するために用いられる。ガイド溝及び／又はガイドリブが、導波ファイバを円形にスプライスケース（４９）の内側にガイドするようにスプライスケース（４９）の内側に設けられている。
2006508402.tif 000002
【特許請求の範囲】
【請求項１】
フレーム（３７）と、フレーム（３７）の正面側（４０）と背面側（４１）とにおいてそれぞれ上に互いに重なり合い、フレーム（３７）に枢転自在に配置された多数のスプライスケース（４９）とを備えた、光導波路、特にケーブルスリーブの組織的収納又は搬送用装置であって、
一方又は両方の垂直狭側部（４３）の領域において光ファイバ（６６）がスプライスケース（４９）に隣接して水平方向に、又はフレーム（３７）に隣接して水平方向にガイドされるように、光ファイバ（６６）のためのファイバガイド部材（５０）が少なくとも一つのフレーム（３７）の垂直狭側部（４３）に固定されることを特徴とする組織的収納又は搬送用装置。
【請求項２】
ファイバガイド部材（５０）が、フレーム（３７）の一つの垂直狭側部（４３）に排他的に固定され、光ファイバ（６６）が、この一つの垂直狭側部（４３）の領域において排他的に、スプライスケース（４９）に隣接して水平方向にガイドされることを特徴とする請求項１記載の装置。
【請求項３】
ファイバガイド部材（５０）がフレーム（３７）の両側の垂直狭側部（４３）に固定され、
光ファイバ（６６）が、これら２つの垂直狭側部（４３）の領域においてスプライスケース（４９）と隣接して水平方向にガイドされることを特徴とする請求項１記載の装置。
【請求項４】
一方又は両方の垂直狭側部（４３）に設けられたファイバガイド部材（５０）が、フレーム（３７）の正面側（４０）に割り付けられた第一ガイド溝（５２）と背面側（４１）に割り付けられた第二ガイド溝（５３）からなる、少なくとも２つの光ファイバ（６６）用垂直ガイド溝（５２、５３）を形成することを特徴とする請求項１又は２又は３記載の装置。
【請求項５】
二つのガイド溝（５２、５３）が、少なくとも一つの垂直に走る隔壁（５４）によって空間的に互いに隔てられ、
一方又は両方の隔壁（５４）が、その下部に開口部（５５）を有し、それによって光ファイバ（６６）が第一ガイド溝（５２）から第二ガイド溝（５３）へ、結果的にフレーム（３７）の正面側（４０）から背面側（４１）へ進路を変えることができることを特徴とする請求項４記載の装置。
【請求項６】
少なくとも２つの垂直に走るガイド溝仕切り（５６、５７）が、より具体的にはそれぞれのガイド溝（５２、５３）に対し少なくとも一つの内側ガイド溝仕切り（５６）と少なくとも一つの外側ガイド溝仕切り（５７）とが、それぞれフレーム（３７）の正面側（４０）と背面側（４１）の領域において延在することによって、ガイド溝（５２、５３）がそれぞれ二つのガイド溝仕切り（５６,５７）にさらに分割されることを特徴とする請求項４又は５記載の装置。
【請求項７】
フレーム（３７）の正面側（４０）を走る第一の内側ガイド溝仕切り（５６）と、背面側（４１）を走る第二の内側ガイド溝仕切り（５６）とからなる、二つの内側ガイド溝仕切り（５６）が一方又は両方の隔壁（５４）によって隔てられていることを特徴とする請求項６記載の装置。
【請求項８】
フレーム（３７）の正面側（４０）と背面側（４１）の領域内の光ファイバ（６６）が各内側ガイド溝仕切り（５６）から各外側ガイド溝仕切り（５７）へ進路を変えることができるように二つの隣接する隔離網（５８）ごとに形成された開口部（５９）を有する、互いに間隔が空いた多数の隔離網（５８）によって、内側ガイド溝仕切り（５６）と外側ガイド溝仕切り（５７）とからなるフレーム（３７）の正面側（４０）と背面側（４１）とを走るガイド溝仕切り（５６、５７）が互いに隔離されていることを特徴とする請求項６又は７記載の装置。
【請求項９】
個々の光ファイバ（６６）を湾曲ガイド溝（６０）を経由してスプライスケース（４９）に送り込むことができるように、一方又は両方の垂直狭側部（４３）に設けられた各ファイバガイド部材（５０）が、一様な湾曲ガイド溝（６０）を形成することを特徴とする請求項１ないし８の１以上に記載の装置。
【請求項１０】
フレーム（３７）と、フレーム（３７）の正面側（４０）と背面側（４１）とにおいてそれぞれ上に互いに重なり合い、フレーム（３７）に枢転自在に配置された多数のスプライスケース（４９）とを備えた、光導波路、特にケーブルスリーブの組織的収納又は搬送用装置であって、
光ファイバ（６６）の連続したマルチファイババッファ管（６５）を収容するために、フレーム（３７）の正面側（４０）のスプライスケース（４９）と背面側（４１）のスプライスケース（４９）との間の押し込み部分に設けられた、フレーム（３７）内をガイドされる引き出し（８２）が、フレーム（３７）の第一垂直狭側部（４３）から水平方向引き出すことができることを特徴とする組織的収納又は搬送用装置。
【請求項１１】
引き出し（８２）が、垂直方向に少なくとも一つの操作用取っ手を有し、水平方向にマルチファイババッファ管（６５）用の複数のガイド（８４）を有することを特徴とする請求項１０記載の装置。
【請求項１２】
光ファイバ（６６）用のファイバガイド部材（５０）がフレーム（３７）の第一垂直狭側部（４３）と向かい合った第二垂直狭側部（４３）に、光ファイバ（６６）が第二垂直狭側部（４３）で排他的にスプライスケース（４９）に隣接して水平方向にガイドされるように、固定されていることを特徴とする請求項１０又は１１記載の装置。
【請求項１３】
ファイバガイド部材（５０）が、請求項４ないし９のうち一つまたはそれ以上に記載の光ファイバ（６６）のためのファイバガイド部材（５０）であることを特徴とする請求項１２記載の装置。
【請求項１４】
フレーム（３７）と、フレーム（３７）の正面側（４０）と背面側（４１）とにおいてそれぞれ上に互いに重なり合い、フレーム（３７）に枢転自在に配置された多数のスプライスケース（４９）とを備えた、光導波路、特にケーブルスリーブの組織的収納又は搬送用装置であって、
光ファイバ（６６）がスプライスケース（４９）内で円形にガイドされるように、ガイド溝（７５）及び／又はガイドリブ（７３、７４）がスプライスケース（４９）内に設けられていることを特徴とする組織的収納又は搬送用装置。
【請求項１５】
少なくとも三つの連結され、重なり合った円形ガイド（７６、７７、７８）が各スプライスケース（４９）内に形成されるように、ガイド溝（７５）及び／又はガイドリブ（７３、７４）が設けられていることを特徴とする請求項１４記載の装置。
【請求項１６】
スプライスケース（４９）の中央で、円形ガイド（７６、７８）が互いに接するように円形ガイド（７６、７７、７８）が整列していることを特徴とする請求項１５記載の装置。
【請求項１７】
光ファイバ（６６）を、それぞれの長さに無関係にほぼ同半径の円形にガイドすることができるように円形ガイド（７６、７７、７８）が整列していることを特徴とする請求項１５又は１６記載の装置。
【請求項１８】
余った長さの光ファイバ（６６）を収容するための収容空間（８０）がスプライスケース（４９）の水平部分に形成されるように円形ガイド（７６、７７、７８）が互いに並べられていることを特徴とする請求項１５ないし１７のうち１以上に記載の装置。
【請求項１９】
フレーム（３７）と、フレーム（３７）の正面側（４０）と背面側（４１）とにおいてそれぞれ上に互いに重なり合い、フレーム（３７）に枢転自在に配置された多数のスプライスケース（４９）とを備えた、光導波路、特にケーブルスリーブの組織的収納又は搬送用装置であって、
光ファイバ（６６）のスプライスケース（４９）への挿入方向が各スプライスケース（４９）の枢軸と略平行となるように、光ファイバ（６６）がスプライスケース（４９）の円筒軸体（６７）によってガイドされ、
各スプライスケース（４９）の円筒軸体（６７）が、光ファイバ（６６）が開口部（６８）を通って半径方向に挿入可能なように、軸方向に切れ目を有していることを特徴とする組織的収納又は搬送用装置。
【請求項２０】
特に各スプライスケース（４９）が回転した時に、光ファイバ（６６）が円筒軸体（６７）の開口部（６８）から落下しないように、ガイド網（６９，７０）がスプライスケース（４９）内に集積されていることを特徴とする請求項１９記載の装置。
【請求項２１】
ガイド網（６９，７０）が、光ファイバ（６６）を常に円筒軸体（６７）の開口部（６８）と対向する内壁（７１）に位置させる効果を有することを特徴とする請求項１９又は２０記載の装置。
【請求項２２】
スプライスケース（４９）の円筒軸体（６７）が中空円筒状に形成されていることを特徴とする請求項１９ないし２０の一つ以上に記載の装置。
【発明の詳細な説明】
【技術分野】
【０００１】
本発明は、請求項１の前提部分に記載の、光導波路用の組織化された収納又は搬送装置、特にケーブルスリーブに関する。
【０００２】
光導波路又はスプライスされた光ファイバ結線の組織化された収納用又は搬送用装置、具体的にはケーブルスリーブが、２本の光ファイバケーブルのスプライス点における継ぎ目の保護や、光ファイバケーブルの分岐点又は分配点における光導波路や光ファイバの保護のために、光ファイバケーブルネットワークに用いられている。この場合、ケーブルスリーブは光ファイバケーブルが中断していないかの如く、その連続性を確保しなければならない。光ファイバケーブル又はスプライスされた光ファイバ結線の組織化された収納用又は搬送用装置は、光ファイバの伝導特性に悪影響を及ぼさないようにすることに明確な意義を有する。
【０００３】
多数のケーブルスリーブが先行技術として知られている。先行技術文献としては、例えば欧州特許番号EP１０９５３０３Ｂ１がある。この文献において、光導波路、具体的にはスプライスされた光ファイバ結線の組織化された収納用又は搬送用装置として、フード型スリーブが開示されている。
【発明の開示】
【発明が解決しようとする課題】
【０００４】
この背景技術に対し、本発明は、光導波路、特にスプライスされた光ファイバ結線の組織化された新規の収納用又は搬送用装置を提供する際の問題に関する。
【課題を解決するための手段】
【０００５】
この問題は、上述の請求項１の特徴記載部に記載の特徴を用いて実現される光導波路、特にスプライスされた光ファイバ結線の組織化された収納用又は搬送用装置により解決される。
【０００６】
本発明によれば、光ファイバのファイバガイド部材は、光ファイバが各狭側面部においてスプライスケース又はフレームに隣接して水平にガイドされるように、少なくとも一つの垂直する狭側面に固定される。
【０００７】
望ましくは各狭側面部に配置されたファイバガイド部材が、フレーム前面の第一ガイド溝とフレーム背面の第二ガイド溝の、少なくとも２つの垂直な光ファイバガイド溝を形成する。各ガイド溝は、少なくとも２つの垂直ガイド溝仕切りが、それぞれフレームの正面及び背面部に延在するように、具体的には各ガイド溝が少なくとも１つの内部ガイド溝仕切りと、少なくとも一つの外部ガイド溝仕切りとを有するように、各ガイド溝ごとに２つのガイド溝仕切りに再分割される。これにより、光ファイバの著しく組織化した取扱いが可能になる。
【０００８】
本発明の第一の観点によれば、各狭側面部を走る２つのガイド溝は、下部に開口部を有する少なくとも一つの垂直隔壁によって互いに間隔が空いており、光ファイバが第一ガイド溝から第二ガイド溝へ、そしてフレーム正面から背面へ連続的に向きを変えることができるようになっている。
【０００９】
フレーム正面近傍及び背面近傍を走るガイド溝仕切り、即ち内部ガイド溝仕切りと外部ガイド溝仕切りは、フレーム正面及び背面の近傍の光ファイバが各内部ガイド溝から各外部ガイド溝へ向きを変えることができるように、２つの隣接網間にそれぞれ開口部が形成された、互いに間隔が空いた多数の隔離網により互いに分離されている。
【００１０】
本発明の第二の観点によれば、上記光導波路、特にスプライスされた光ファイバ結線の組織化された収納用又は搬送用装置は、請求項１０の特徴部に記載の特徴を用いて実現される。本発明によれば、光ファイバの連続したマルチファイババッファ管を収納するための、フレーム前面に割り当てられたスプライスケースと後面に割り当てられたスプライスケースとの間に配置された、光ファイバのフレーム内をガイドされる引出しは、フレームの第一垂直狭側面から水平方向に引き出すことができる。この第一垂直狭側部は、光ファイバ用ファイバガイド部材が固定されたフレームの第二垂直狭側部と対向している。
【００１１】
本発明の第三の観点によれば、上記光導波路、特にスプライスされた光ファイバ結線の組織化された収納用又は搬送用装置は、請求項１４の特徴部に記載の特徴を用いて実現される。本発明によれば、ガイド溝及び／又はガイドリブは、光ファイバが円形にスプライスケース内をガイドされるようにスプライスケース内に配置される。これにより、スプライスケース内での光ファイバの繊細な取り扱いが可能となる。
【００１２】
本発明の更なる観点によれば、上記光導波路、特にスプライスされた光ファイバ結線の組織化された収納用又は搬送用装置は、請求項１９の特徴部に記載の特徴を用いて実現される。本発明によれば、光ファイバは、光ファイバのスプライスケースへの挿入方向が、各スプライスケースの円筒軸体と略平行になるようにスプライスケースの円筒軸体によってガイドされる。この各スプライスケースの円筒軸体は、半径方向に切れ目を有し、光ファイバをこの切れ目を通って円筒軸体の半径方向から円筒軸体へ挿入することができるようになっている。
【００１３】
本発明の好ましき実施例は、従属請求項や以下の明細書の記載において明らかにされる。
【００１４】
本発明の実施例は、その発明を限定することなく、図面に基づき以下により詳細に説明される。
【発明を実施するための最良の形態】
【００１５】
図面１から３２を参照しながら、フード型スリーブとしての光導波路、特にスプライスされた光ファイバ結線の組織化された収納用又は搬送用装置に基づいて、以下に本発明を詳細に記載する。図１から２２は、本発明の第一の実施例に関し、図２３から３２は、本発明に従うフード型スリーブの第二の実施例に関する。本発明はフード型スリーブの場合に用いると特に有利であるが、他の型のスリーブ、例えばいわゆるインラインスリーブ等の場合にも用いることができる。
【００１６】
まず、図１から２２に従う実施例を記載する。図１は、カバースリーブを取り除いた本発明のフード型スリーブ３０を示している。このようなフード型スリーブ３０の場合、光ファイバ（図示せず）はフード型スリーブ３０に下から挿入される。この光ファイバのフード型スリーブ３０への挿入は、封止された本体３１を通して行われる。封止された本体３１には、複数の開口部３２が設けられており（図２を参照）、ここを通って互いにスプライスされるべき光ファイバケーブルはフード型スリーブ３０に挿入される。光ファイバケーブルをフード型スリーブ３０に挿入するための開口部３２は、パッキン押さえの原理で動作する。前記封止された本体３１の構造と動作原理は、ここで対象とする当業者にはよく知られたものであり、更なる説明は必要としない。
【００１７】
封止された本体３１にＵ字型ブラケット３３を固定する。Ｕ字型ブラケット３３は、その２本の垂直脚３４で、より詳細には垂直脚３４の端部で封止された本体３１の水平凹部３５と係合している。このブラケット３３の２本の垂直脚３４は、水平脚３６によって互いに接続されている。この水平脚３６は、封止された本体３１の２つの凹部３５の間を、縦方向に間隔を空けて延在している。
【００１８】
フレーム３７がブラケット３３の水平脚３６に設けられている（図２参照）。このフレーム３７は、４つの垂直フレームパーツ３８と、２つの水平フレームパーツ３９とで実質的に形成されている。図２から明らかに、水平フレームパーツ３９は、フレーム３７の上端部と下端部とにそれぞれに延在している。水平フレームパーツ３９の両側には、各２本の垂直フレームパーツ３８が延在している。この水平フレームパーツ３９は、断面Ｕ字状に形成され、垂直フレームパーツ３８は、断面Ｌ字状に形成されている。水平フレームパーツ３９の両側で垂直フレームパーツ３８は、２本のＵ字脚間をそれぞれ互いに平行に渡っている。即ち、水平フレームパーツ３９の片側に配置された垂直フレームパーツ３８は、互いに間隔を空けている。その距離は、従って断面Ｕ字状に形成された水平フレームパーツ３９の幅で決まっている。
【００１９】
この方法で形成されたフレーム３７には、正面側４０と背面側４１がある。正面側４０と背面側４１の両側には、２本の垂直フレームパーツ３８がそれぞれ配置され、フレーム３７の正面側４０と背面側４１とでそれぞれ横方向に結び付けられている。さらに、フレーム３７は全部で４本の狭側部を有し、具体的には２本の水平狭側部４２と２本の垂直狭側部４３とを有する。
【００２０】
水平狭側部４２は、水平フレームパーツ３９で定義される。一方、垂直狭側部４３は、どちらも水平フレームパーツ３９、具体的にはＵ字断面を有する水平フレームパーツ３９の対向する脚部の一端に固定された２本の隣接する垂直フレームパーツ３８で定義される。
【００２１】
すでに述べたように、垂直フレームパーツ３８は断面Ｌ字状に形成されている。断面Ｌ字の垂直フレームパーツ３８は、その第一脚４４で水平フレームパーツ３９に固定されている。垂直フレームパーツ３８の第二脚４５は、第一脚４４とおよそ９０度の角度がつけられている。図２から明らかに、複数の開口部４６が第一脚４４に設けられ、一方、複数の開口部４７は第二脚４５に設けられている。
【００２２】
図３によれば、スプライスケース４９のガイド又はホルダ４８は断面L字に形成された垂直フレームパーツ３８の第二脚４５の開口部４７に捕まえられている。スプライスケース４９は図３に示されていないが、例えば図１、６、７に示されている。スプライスケース４９のホルダ４８は、フレーム３７の正面側４０と背面側４１の両側に設けられている。スプライスケース４９は、フレーム３７の正面側４０又は背面側４１において、同じ高さの向かい合った２つのホルダ４８の間に取り付けることができる。図１に、フレーム３７の正面側４０と背面側４１の両側にそれぞれ上に重なるように取り付けられた多数のスプライスケースが示されている。スプライスケース４９の前記ガイド又はホルダ４８は、それぞれ各スプライスケース４９が回転できるようにその枢軸となっている。図６にフレーム３７の正面側４０に設けられた６個の下向きに回転したスプライスケース４９と多数の上向きに回転したスプライスケース４９とを示す。スプライスケース４９のためのガイド又はフォルダ４８は、断面円筒状に形成されている。
【００２３】
図４に、フレーム３７と、フレーム３７に固定したスプライスケース４９用ホルダ４８と、更にフレーム３７に固定されたファイバガイド部材５０とを示す。ファイバガイド部材５０の構成と配置が、ここで述べる本発明の第一の観点を構成する。
【００２４】
図４に、フレーム３７の垂直狭側部４３の一つに割り当てられたファイバガイド部材５０を示す。このファイバガイド部材５０は、この一つの垂直狭側部４３における断面L字に形成された垂直フレームパーツ３８の脚４４に押し込まれ、より具体的には脚４４近傍の隙間４６に捕えられるあご状のアンカー部材５１によって押し込まれる。これよりファイバガイド部材５０は、フレーム３７の垂直狭側部４３の一つに排他的に配置される。
【００２５】
図４から図９で明らかに、ファイバガイド部材５０は２本の垂直ガイド溝５２と５３を形成する。第一ガイド溝５２は、フレーム３７の正面側４０に割り当てられる。第二ガイド溝５３は、フレーム３７の背面側４１に割り当てられる。これは図７に最も良く表されている。２つの垂直ガイド溝５２と５３は、同様に垂直に走る隔壁５４によって隔離されている。図５と６から明らかに、隔壁５４は下部に開口部５５を伴って設けられている。開口部５５の特徴は、以下により詳細に記載する。従って、フレーム３７の垂直狭側部４３の横に隣接して２本の垂直ガイド溝５２と５３が延在する。第一ガイド溝５２は、フレーム３７の正面側４０に割り当てられ、第二ガイド溝５３は、フレーム３７の背面に割り当てられている。
【００２６】
更に、図４から９に示されるように、２本の垂直ガイド溝５２と５３はそれぞれの処で二つの類似した垂直ガイド溝仕切りに更に分割されており、具体的には内側ガイド溝仕切り５６と外側ガイド溝仕切り５７とにそれぞれ分割されている。第一ガイド溝５２が割り当てられた正面側４０において、内側ガイド溝仕切り５６と外側ガイド溝仕切り５７とがそれぞれ走っている。同様に、背面側４１においても、内側ガイド溝仕切り５６と外側ガイド溝仕切り５７とがそれぞれ走っている。従って、隔壁５４が２本の内側ガイド溝仕切り５６を互いに隔てている。隔離網５８によってフレーム３７の正面側４０と背面側４１とにおいて、それぞれ内部ガイド溝５６と外部ガイド溝５７が仕切られている。従って、フレームの全高に渡って多数の前記隔離網５８が位置しており、隣接する2つの隔離網５８間にそれぞれ開口部５９が形成されている。二つのガイド溝５２、５３を互いに隔離する隔壁５４において、その下部にただ一つの開口部５５が設けられている。内側ガイド溝仕切り５６と外側ガイド溝仕切り５７を分離するために、フレーム３７の全高に渡って多数の開口部５９が設けられている。隔離網５８間の前記開口部５９の特徴は、以下で詳細に議論する。図７から明らかに、４つのガイド溝仕切り５６、５７はそれぞれ互いに隣接する平面上に位置し、より具体的にはフレーム３７の垂直狭側部４３の横に隣接して位置する。
【００２７】
ファイバガイド部材５０は、垂直ガイド溝５２、５３を形成するだけでなく、光ファイバの湾曲ガイド溝６０をも形成する。図４にその例を示す。この湾曲ガイド溝６０は、外側ガイド溝仕切り５７に向かう一方で、スプライスケース４９に対し円筒状の中空本体を形成するホルダ４８に向かっている。湾曲ガイド溝６０に関しても、同様に以下に詳細に議論する。
【００２８】
例えば図５に示すように、マルチファイババッファ管の配向素子又は固定素子６１が、フレーム３７下部即ちブランケット３３付近に配置されている。このマルチファイババッファ管の配向素子又は固定素子６１は、多数の配向溝６２を有する。この配向溝６２は、すべて湾曲した形状を有し、ファイバガイド部材５０が配置され垂直ガイド溝５２、５３が形成された垂直狭側部４３付近で終端している。配向溝６２は、その下部において、封止された本体３１、即ち封止された本体３１内部の開口３２と対向している。図１から２２に示す実施例において、配向溝６２は従って同一平面上に配置され,垂直狭側部４３付近で終端する。
【００２９】
配向溝６２の上方であって、スプライスケース４９のための最も低い位置にあるホルダ４８の下方には、最も低い位置にあるスプライスケース４９のためのストッパ６４を伴った板状部品６３が位置する。図７に示すように、最下位置のスプライスケース４９はストッパ６４上に下向きに回転した位置で載っている。結果的に、図７に示す下向きに回転したスプライスケース４９の傾斜角度はおよそ４５度となっている。
【００３０】
すでに何度も述べたように、結合すべき光ファイバケーブルは封止された本体３１の開口部３２を通ってフード型スリーブ３０に挿入される。上記光ファイバケーブルの代わりに多数のマルチファイババッファ管が設けられ、好ましくは１２本の光ファイバが一本のマルチファイババッファ管内に配置される。図８に光ファイバ６６が内部に配置された状態のマルチファイババッファ管６５を示す。図８には前記光ファイバケーブルは示されていない。このマルチファイババッファ管は、配向溝６２の下部を通って、固定素子６１の配向溝６２へ互いに略平行に挿入される。好ましくはマルチファイババッファ管６５は、固定素子６１の配向溝６２へ挿入されるとすぐに、図示されないケーブル繋ぎ材によって配向溝６２に固定される。その後、被覆材はマルチファイババッファ管６５から取り除かれ、それぞれ分離された光ファイバ６６のみがガイドされる。従って、図８に示すように、マルチファイババッファ管６５にガイドされたすべての光ファイバ６６は、配向溝６２を通ってファイバガイド部材５０が位置するフレーム３７の垂直狭側部４３へガイドされる。従って光ファイバ６６は、垂直ガイド溝５２、５３へと向かい、ファイバガイド部材５０が排他的に位置するスプライスケース４８の横に隣接した垂直狭側部４３へとガイドされる。
【００３１】
固定素子６１からファイバガイド部材５０への光ファイバ６６が移動するにあたり、個々の光ファイバ６６が正面側４０と背面側４１のどちらのスプライスケース４９に送るかを決めなければならない。隔壁５４の開口部５５は、この接続をするために重要である。つまり開口部５５は、正面側４０から背面側４１へ、又は背面側４１から正面側４０へ光ファイバを偏向するために用いられる。固定素子６１の配向溝６２を出た光ファイバは、直ちに正面側４０の垂直ガイド溝５２又は背面側４１の垂直ガイド溝５３のいずれに供給されるか決められる。隔壁５４の開口部５５において光ファイバ６６が偏向している様子は、図７に明らかに示されている。
【００３２】
一旦光ファイバ６６が正面側４０に割り当てられた垂直ガイド溝５２か、背面側４１に割り当てられた垂直ガイド溝５３のどちらにガイドされるかが決まり、最終的に収容されるスプライスケース４９が決まると、ガイド溝５２又は５３のすべての光ファイバ６６は、まず各ガイド溝５２、５３の内側ガイド溝仕切り５６にガイドされる。光ファイバ６６は、対応する収容先のスプライスケース４９の高さに達するまで、内側ガイド溝仕切り５６にガイドされる。一旦対応する高さに達すると、対応する光ファイバ６６が内側ガイド溝仕切り５６から出て、隔離網５８間の開口部５９を通って、外側ガイド溝仕切り５７へ行くように偏向する。これは、例えば図７や９に示されている。光ファイバ６６が一旦挿入されるべき対応するスプライスケース４９のある高さに達すると、光ファイバ６６は最初に外側ガイド溝仕切り５７に向かう。外側ガイド溝仕切り５７から、次に光ファイバ６６は、対応するスプライスケース４９のホルダ４８と相互に作用する湾曲ガイド溝６０に挿入される。これは特に図９と１４に詳細に示されている。
【００３３】
本発明の構成によれば、ケーブルスリーブ内で光ファイバを組織的かつ繊細に収容し、取り扱うことが可能になる。光ファイバ６６は、一旦マルチファイババッファ管６５から被覆を除去して個別に分離した後、最初にスプライスケース４９の一方側にガイドされる。光ファイバ６６は、垂直ガイド溝５２と５３において、スプライスケース４９の一方側又はフレーム３７の一方側に排他的にガイドされる。この一方の側にすべての光ファイバ６６がガイドされた後、光ファイバ６６は、フレーム３７の正面側４０に割り当てられたガイド溝５２又はフレーム３７の背面側４１に割り当てられたガイド溝５３に供給され、垂直上方にガイドされる。この２本のガイド溝５２と５３内において、光ファイバ６６は最初内側ガイド溝仕切り５６内を各対応する光ファイバ６６が挿入されるべきスプライスケース４９の高さに達するまで走る。一旦この高さに達すると、光ファイバ６６は外側ガイド溝仕切り５７の方へ移され、それから最終的に光ファイバ６６をスプライスケース４９に送りこむ湾曲ガイド溝６０内に通される。
【００３４】
スプライスケース４９は円筒軸体６７によってホルダ４８に留められている。これは特に図６に示されている。スプライスケース４９の円筒軸体６７は、図１０から１２に詳細に示されている。さらに、これら詳細は図１７と１８にも示されている。
【００３５】
スプライスケース４９の円筒軸体６７は、空洞の円筒状に形成されている。光ファイバ６６は、スプライスケース４９へ挿入するために、円筒軸体６７を通ってガイドされる。より詳細には、光ファイバ６６のスプライスケース４９への挿入方向は、円筒軸体６７で決まる各スプライスケース４９の枢軸と略平行である。このスプライスケース４９の枢軸と平行に、円筒軸体６７を通って光ファイバ６６がガイドされる様子は、特に図１８に詳しく示されている。円筒軸体６７が軸方向の切り込み、即ち半径方向外側への開口部６８を有していることがこの接続の特徴である。円筒軸体６７の開口部６８は、例えば図１０に示されている。光ファイバ６６は、半径方向に開口部６８を通って円筒軸体６７へ挿入される。結果的に、特に湾曲ガイド溝６０からスプライスケース４９への光ファイバ６６の単純で繊細な挿入が可能となる。
【００３６】
特にスプライスケース４９の回転時に、円筒軸体６７に配置された光ファイバ６６が円筒軸体６７から外へ飛び出して損傷しないように、ガイド網６９と７０がスプライスケース４９に一体化されている（図１０と１１を参照）。特に図１９から明らかなように、ガイド網６９、７０の突出部は各スプライスケース４９の各所でその一つが円筒軸体６７の開口部６８を覆う様にスプライスケース４９に一体化されている。光ファイバ６６は、開口部６８と対向する円筒軸体６７の内壁７１に常に寄りかかる。その結果、スプライスケース４９の回転中も、光ファイバ６６は常に円筒軸体６７の内部に留まり、そこから飛び出ないようになっている。さらに、光ファイバ６６をガイドするためのガイド網７２が外側ガイド溝仕切り５７の湾曲ガイド溝６０の横に隣接している（図１４、１５、１６と１８を参照）。外側ガイド溝仕切り５７にあるガイド網７２は、光ファイバが外側ガイド溝仕切り５７から脱落することを防止している。さらに、ガイド網７２は外側ガイド溝仕切り５７において光ファイバ６６を円筒軸体６７の内壁７１に寄りかからせる効果を有している。これを図２０に示す。ガイド網７２の内壁が円筒軸体６７の内壁７１に対しその後方へ又は内側へオフセットを有するので、図２０に示すように、光ファイバ６６は少し湾曲した形状又は後方若しくは内側へ曲がった形状となる。
【００３７】
本発明の更なる観点は、スプライスケース４９内で光ファイバ６６をガイドすることに関する。これによりスプライスケース４９内を光ファイバ６６は円形に走っている。この光ファイバ６６が円形にガイドされることには、機械的装填空間を最小にするというメリットがある。また、光ファイバ６６の伝達特性に悪影響を及ぼさない。
【００３８】
確実にスプライスケース４９内を環状に光ファイバ６６がガイドされるために、多数のガイド溝又はガイドリブがスプライスケース４９内に一体化されている。図１１には、２本の外側半円形ガイドリブ７３と、スプライスケース４９中央部に、円の一部輪郭として複数の部分からなるガイドリブ７４とを示す。図１１に示す模範的実施例においては、全部で４つのガイドリブ７４がスプライスケース４９の中央部に配置されている。ガイドリブ７４の外側端部はすべて異なる寸法の円の一部となっている。円形ガイド溝７５は、スプライスケース４９中央に配置されたガイドリブ７４の間に形成されている。
【００３９】
図１２と１３に示すように、ガイドリブ７３と７４は、３つの連結され重なり合った円形ガイド７６、７７、７８を形成している。円形ガイド７６、７７、７８は、この場合互いに関連して、２つの外側円形ガイド７６、７８がスプライスケース４９中央で接するように、そして接線方向に合体するように一列に並んでいる。この箇所で、光ファイバ６６のために曲率半径を変化させることが実現できる。さらに円形ガイド７６、７７、７８は、光ファイバ６６がスプライスケース内をそれぞれの長さと無関係に、およそ同じ半径で円形にガイドできるように互いに一列に並んでいる。これが、所望の長さの光ファイバ６６に対し、理想的曲率半径を維持し、それ故光ファイバ６６の繊細な取り扱いを維持しながら、スプライスケース４９内で円形のガイドを可能としている。図１２は、円形ガイド７９と同様に、円形ガイド７６と７８から成る楕円形ガイド７９により、光導波路の楕円形ガイドが可能であることの例を示す。超過した長さの光ファイバ６６の収容空間８０が、外側ガイドリブ７３と内側ガイドリブ７４の間に形成されていることもこの結合の特徴である。楕円形ガイド７９により収容空間８０内でより長くまたは短く収容できるため、光ファイバの実際の長さ補償は、収容空間８０内部で行われる。
【００４０】
図１４から１６は、それぞれ異なる方法でスプライスケース４９内にガイドされる光ファイバ６６を示す。例えば図１６には、多数の光ファイバ６６が楕円形にガイドされる一方、円形にもガイドされる様子を示す。更に、図１４には、この目的のために特別に設けられたスプライスケース４９に収容された2本の光ファイバ６６を結合するためのスプライス８１を示す。このスプライスケース４９内に、全部で４本のケーブルスプライス８１を収容することができる。
【００４１】
本発明の別な観点によれば、フレーム３７から引き出すことができ、連続したマルチファイババッファ管６５を収容するための引き出し８２が、フード型スリーブ３０のフレーム３７に一体化されている。この引き出し８２は、フレーム３７後方の垂直フレームパーツ３８間に一体化され、フレーム３７から水平に引き出すことができる。引き出し８２は、従ってフレーム３７からファイバガイド部材５０が固定されている垂直狭側部４３と反対側の垂直狭側部４３へ引き出される。従って、ファイバガイド部材５０にある光ファイバ６６は、フレーム３７の一側面又はスプライスケース４９の一側面へとガイドされる。反対側の垂直狭側部４３に向かって、引き出し８２をフレーム３７から引き出すことができる。図１に、フレーム３７に押し込まれた引き出し８２を、図２１にフレーム３７から引き出された引き出し８２を示す。図２２に、引き出し８２に収容された連続したマルチファイババッファ管６５を示す。
【００４２】
フレーム３７から引き出し８２を引き出すために引き出し８２を掴むことができるように、模範的実施例では取っ手８３が引き出し８２の垂直側部に設けられている。  取っ手８３は、マルチファイババッファ管６５を引き出し８２内に確実にガイドする役割も同時に受け持っている。取っ手８３に加えて、ガイド８４が引き出し８２の水平側部に設けられている。ガイド８４も、マルチファイババッファ管６５を引き出し８２内に確実に収容させる役割をも果たしている。
【００４３】
図１から２２に示される本発明の第一の実施例によれば、フード型スリーブ３０は、そのスリーブ内において、固定素子６１付近で一旦バッファチューブの被覆を除去してマルチファイババッファ管６５から分離されたすべての光ファイバ６６が、スプライスケース４９の積み重なりの側部にガイドされる。光ファイバ６６は、排他的に垂直上方、スプライスケース４９の積み重なりの一側部へガイドされる。この目的のために、この側部にファイバガイド部材５０が設けられており、そこにはフレーム３７の正面側４０と背面側４１の両方において垂直ガイド溝５２、５３が設けられ、それぞれ内側ガイド溝仕切り５６と外側ガイド溝仕切り５７に更に分割されている。更に本発明によれば、光ファイバ６６がスプライスケース４９の円筒軸体６７を通ってガイドされてスプライスケース４９内部に向けられることで、光ファイバ６６を外側ガイド溝仕切り５７から湾曲ガイド溝６０へガイドする。光ファイバ６６は、円筒軸体６７から飛び出さないようになっており、より具体的には、スプライスケース４９に一体化されたガイド網６９、７０によって軸体の半径方向の開口部６８から飛び出さないようになっている。スプライスケース４９内で、光ファイバ６６は円形にガイドされる。フレーム３７からファイバガイド部材５０が固定された側部と反対の側部へ引き出すことが可能な、連続したマルチファイババッファ管を収容するための引き出し８２も設けられている。スプライスケース４９は、ファイバガイド部材５０のホルダ４８にそれぞれ独立に固定することができる。これにより本発明の装置のモジュール構造が生み出される。
【００４４】
図１から２２に示された上記設計上の観点は、すべて本発明の第一実施例に従うフード型スリーブ３０に関する。本発明の第二実施例は、図２３から３２を参照しながら以下に詳細に説明する。  図２３から３２に従う第二の実施例も、フード型スリーブ８５に関する。基本構造設計に関する観点において、図２３から３２による第二実施例のフード型スリーブ８５は、図１から２２に従う第一実施例のフード型スリーブ３０と一致している。不要な繰り返しを避けるため、同じ部品には同じ部品番号を用いている。図２３から３２に示す第二実施例のフード型スリーブ８５と図１から２２に示す第一実施例のフード型スリーブ３０との差異のみ、以下に詳細に述べる。
【００４５】
本発明の第二実施例のフード型スリーブ８５と第一実施例のフード型スリーブ３０との第一の基本的な差異は、フード型スリーブ８５では引き出しが省略されていることである。本発明の第二実施例のフード型スリーブ８５の場合、ファイバガイド部材５０は本発明に従ってフレーム３７の垂直狭側部４３に伸びている。これは、図２３や２４に示されている。従って、垂直ガイド溝５２と５３は、２本の垂直狭側部４３にそれぞれ形成されている。垂直ガイド溝５２と５３は、それぞれガイド溝仕切りにより具体的には内側ガイド溝仕切り５６と外側ガイド溝仕切り５７とに更に分割されている。４つの内側ガイド溝仕切り５６と５７が、２つの垂直狭側部４３の横に隣接し、その結果スプライスケース４９の両側部において、それぞれ一平面上に延在している。
【００４６】
図２３から２５に示すように、本発明の第二実施例であるフード型スリーブ８５と第一実施例であるフード型スリーブ３０との第二の相違点は、２つの垂直狭側部４３を走るガイド溝５２と５３が、単に一枚の垂直隔壁で分けられているのではなく、互いに間隔を空け収容空間８８で結ばれた二枚の垂直隔壁８６と８７で分けられていることである。この収容空間８８は、図２５に最も良く示されている。連続したマルチファイババッファ管を、この収容空間８８に挿入することができる。図２３から３２に示す本発明の第二実施例のフード型スリーブ８５の収容空間８８は、従って図１から２２に示す本発明の第一実施例のフード型スリーブ３０の引き出し８２の機能を引き受けている。
【００４７】
また図２４と２５に示すように、隔壁８６と８７は、互いに間隔を空けて平行に走る一方で、その下部で接し、開口部５５を形成している。開口部５５は、正面側４０から背面側４１又は背面側４１から正面側４０へ光ファイバを偏向する役割を受け持っている。
【００４８】
２つの実施例間の更なる相違は、マルチファイババッファ管のための配向素子又は固定素子６１のデザインに関する。これを図２３から２５に示す。本発明の第一実施例に係るフード型スリーブ３０との差異として、図２３から３２に示す第二実施例のフード型スリーブ８５の場合には、配向素子又は固定素子６１により形成されたガイド溝又は配向溝８９は、すべてが同一平面内に形成されてはいない。配向溝８９は、一つの垂直狭側部４３のところですべてが終端、および／又は開いてはおらず、配向溝８９の半数が第一垂直狭側部４３に向かって開き、配向溝８９の他の半数が第二垂直狭側部４３に向かって開いている。これはすでに述べたように、本発明の第二実施例のフード型スリーブ８５の場合、光ファイバは両垂直狭側部４３のところでスプライスケース４９の横に隣接して、上方にガイドされるためである。この範囲において、配向溝８９も２つの垂直狭側部４３のところで終端するということは、本実施例の長所である。
【００４９】
図２３から３２の実施例において、正面側４０又は背面側４１を走る光ファイバを第一垂直狭側部４３のガイド溝５２又は５３から第二垂直狭側部４３のガイド溝５２又は５３へガイドするために、正面側４０と背面側４１にそれぞれ２つの偏向用円筒９０と９１が板状部品６３に設けられている。図２３に、これらの偏向用円筒９０と９１が最も良く示されている。これにより、一方の垂直狭側部４３から他方の垂直狭側部４３へガイドすべき光ファイバを、許容される範囲内で最小の曲率半径に曲げながら、偏向用円筒９０と９１によって簡単にかつ繊細に前後にガイドすることができる。また、正面側４０から背面側４１へ、又は背面側４１から正面側４０への偏向は、ガイド溝５２と５３の垂直狭側部４３に水平に隣接した開口部５５を通して行われることも特筆すべき点である。
【００５０】
本発明の第一実施例のフード型スリーブ３０と第二実施例のフード型スリーブ８５との更なる差異は、スプライスケース４９の構造的設計に関する。本発明の第二実施例に係るフード型スリーブ８５のスプライスケース４９は、図２４と２６に最も明確に示されている。本発明の第二実施例に係るフード型スリーブ８５のスプライスケース４９も、図１３に示す第一実施例で説明した場合と同様に、３つの連結し重なり合った円形ガイドの形状に沿って光ファイバをガイドすることを可能にしている。しかし、ガイドリブの設計又は構成において、スプライスケース間で違いが見られる。本発明の第二実施例に係るスプライスケース４９は、２つの外側半円と網状のガイドリブ７３を有するが、平坦なガイドリブ７４は省略されている。むしろ、第二実施例のスプライスケース４９中央部には、網状のガイドリブ９２が存在している。  網状のガイドリブ７３と同様に、網状ガイドリブ９２は円の特定の部分から成っている。本発明の第二実施例のスプライスケース４９の場合、しかし、スプライスケース４９中央に設けられたガイドリブ９２間のガイド溝は省略されている。
【００５１】
これは光ファイバをガイドするに際し、長所となる。更に、スプライスケース４９中央におけるガイドリブ９２の網状構造が、材料の節約と重量の削減を生じさせる。
【００５２】
図３１に、スプライスケースに関する２つの実施例間の更なる差異を示す。図３１に示されるように、異なる厚みのスプライスケース４９が用いられている。図３１によれば、フード型スリーブ８５の正面側４０のスプライスケース４９は、背面側４１のスプライスケース４９の２倍の厚みがある。２倍の厚み又は高さのあるスプライスケース４９には、多数のスプライスを収容することができる。スリーブに更なる構造的変更を付加することなく異なる厚み又は高さのスプライスケースに簡単に交換できることは、本発明の構造設計原理の大きな特徴である。もし厚み又は高さが２倍のスプライスケース４９を用いた場合、スプライスケース４９のために２番目のホルダ４８が用いられる。同じ高さで対向する２つのホルダ４８が、スプライスケース４９の枢軸を形成している。２倍の高さ又は厚さのスプライスケース４９を用いたときに、枢軸を形成しているホルダ４８の上下のホルダ位置が空間として残される。従って、スプライスケースのためのホルダの構造設計変更が不要である。
【００５３】
本発明の２つの実施例間の更なる差異は、スプライスケース４９が回転移動する間に、円筒軸体６７から飛び出さないための、光ファイバ６６をスプライスケース４９の円筒軸体６７内に確実に保持することに関する。図１から２２に示される第一実施例との一致点としては、図２３から３２の第二実施例においてガイド網６９と７０がそれぞれスプライスケース４９に一体化されていることである。これは図２８から３０に明確に見ることができる。しかし図２３から３２に係る第二実施例の場合、ガイド溝５２、５３と、外側ガイド溝仕切り５７は、収容空間８８から外にずれており、図１から２２に係る第一実施例の場合のようなガイド網７２の機能は、もはや外側ガイド溝仕切り５７に対して働かない。これを補償するために、図２３と３２に係る第二実施例においては、湾曲ガイド溝６０に、具体的にはスプライスケース４９の円筒軸体６７のホルダ４８に隣接してガイドリブ９３が設けられている。ガイドリブ９３は上下方向に交互に突出しており、光ファイバ６６はガイドリブ９３内の溝状の凹部９４にガイドされる。従って、スプライスケース４９が回転した場合でも、光ファイバ６６は常にガイドリブ９３に対向している。これにより、光ファイバ６６が円筒軸体６７内部の開口部６８から飛び出ることが回避される。
【００５４】
図３２には、図１から２２に係る実施例と図２３以下に係る実施例の両方で用いられる本発明のより詳細部を示す。図３２には、マルチファイババッファ管の配向素子又は固定素子６１付近の４つの配向溝８９を示す。図３２に示された詳細によれば、そして図１から２２に従う第一実施例に関連して説明されたケーブル結束材によりマルチファイババッファ管が固定されることとの相違として、配向溝８９におけるマルチファイババッファ管の固定は、収容板９５によって行われる。図３２から明らかに、収容板９５を押し込むことが可能なガイドレール９６が配向溝８９に設けられている。矢印９７の方向に収容板９５をガイドレール９６に押し込むことができる。図３２から明らかに、溝状の隙間が収容板９５に設けられている。収容板９５が対応するガイドレール９６に矢印９７の方向に押し込まれると、溝又は隙間に閉ざされたあご状の係留部材９８が内側に押され、収容板９５がガイドレール９６に完全に押し込まれた時に、その係留部材９８がパチンと元の位置まで戻ることで、収容板９５を配向溝８９内に固定する。本発明によれば、収容板９５の一方の側面は滑らかに形成され、収容板９５の他方の側面には隔離網９９が設けられている。図３２に示す配置をする場合において、２つの新たなマルチファイババッファ管を配向溝８９に固定しようとすると、第一にバッファ管はすでに挿入済みの収容板９５の滑らかな側面に配され、それから新しい収容板９５が対応するガイドレール９６に挿入される。さらに、図３２に示す固定方法の場合、バッファ管を軸方向において位置を変更することも可能であることに留意するべきである。
【図面の簡単な説明】
【００５５】
【図１】本発明に係る、フード型スリーブ状に形成された、フードをはずした状態の、スプライスされた光ファイバ結線のための組織的収納又は搬送用装置の第一実施例を示す正面斜視図である。
【図２】封止された本体に設けられた図１のフード型スリーブのフレームを示す正面斜視図である。
【図３】フレームに固定されたスプライスケースのホルダを付けた図１のフレームを拡大した詳細を示す正面斜視図である。
【図４】フレームに更にファイバガイド部材を取り付けた図３の詳細を示す正面斜視図である。
【図５】フレームに更にバッファ管ガイド部材を取り付けた図４の詳細を示す正面斜視図である。
【図６】フレームに更にスプライスケースを取り付けた図５の詳細を示す正面斜視図である。
【図７】本発明に係る装置から切り抜いた図であり、フード型スリーブ状に形成された、フードをはずした状態の、スプライスされた光ファイバ結線のための組織的収納又は搬送用装置の図１から６に示された側面図である。
【図８】マルチファイババッファ管とフード型スリーブ内にガイドされた光ファイバを加えた、図６に類似した詳細を示す正面斜視図である。
【図９】図７の光ファイバのための垂直ガイド溝領域を詳細に示す側面斜視図である。
【図１０】本発明の図１から９に示す、フード型スリーブとして形成されたスプライスされた光ファイバ結線のための組織的収納又は搬送用装置装置のスプライスケースを示す平面斜視図である。
【図１１】図１０のスプライスケースを示す平面図である。
【図１２】スプライスケース内の予想されるファイバガイドの様子を視覚化した図１０、１１に示されたスプライスケースの平面図である。
【図１３】図１２の予想されるファイバガイドの様子を、それ自体で視覚化したものを示す図である。
【図１４】図１から１３に示された、フード型スリーブ状に形成された、スプライスされた光ファイバ結線のための組織的収納又は搬送用装置にファイバガイドを図示した正面斜視図である。
【図１５】図１４の詳細図に、スプライスケース内における別の方法のファイバガイドを示した正面斜視図である。
【図１６】図１４と図１５の詳細に、スプライスケース内における別の方法のファイバガイドを示した正面斜視図である。
【図１７】図１４から１６の詳細部分を拡大して切り抜いた正面斜視図である。
【図１８】ファイバガイドが示された図１７の詳細図である。
【図１９】図１４から１６の詳細部分を拡大して切り抜いた側面図である。
【図２０】図１４から１６の詳細部分を拡大して切り抜いた平面斜視図である。
【図２１】図１から２０に示された本発明に係るフード型スリーブ状に形成された、スプライスされた光ファイバ結線のための組織的収納又は搬送用装置において、連続したマルチファイババッファ管の収納用引出しが引き出された様子を示す図１に類似した正面斜視図である。
【図２２】図２１の装置に、引き出された引出し内をマルチファイババッファ管がガイドされる様子を示す正面斜視図である。
【図２３】本発明に係る、フード型スリーブ状に形成された、フードをはずした状態の、スプライスされた光ファイバ結線のための組織的収納又は搬送用装置の第二実施例を示す正面斜視図を切り抜いた図である。
【図２４】図２３の装置において、一部のスプライスケースが下向きに回転している様子を示す切り抜き図である。
【図２５】図２３から２４に示す本発明に係るフード型スリーブ状に形成された、スプライスされた光ファイバ結線のための組織的収納又は搬送用装置の側面切抜き図である。
【図２６】図２３から２５に示す本発明に係るフード型スリーブ状に形成された、スプライスされた光ファイバ結線のための組織的収納又は搬送用装置のスプライスケースを示す平面斜視図である。
【図２７】図２４の詳細図から切り抜いた拡大部分を示す正面斜視図である。
【図２８】光ファイバと一緒に、図２４の詳細図から切り抜いた別の拡大部分を示す正面斜視図である。
【図２９】図２８の細部拡大図である。
【図３０】図２８、２９の詳細を拡大して切り抜いた平面斜視図である。
【図３１】図２３から３０に示すスプライスされた光ファイバ結線のための組織的収納又は搬送用装置において、異なる厚さのスプライスケースを示す図である。
【図３２】図２３から３１に示すスプライスされた光ファイバ結線のための組織的収納又は搬送用装置において、バッファ管ガイドの領域を示す詳細図である。
【符号の説明】
【００５６】
３０  フード型スリーブ
３１  封止された本体
３２  開口部
３３  ブラケット
３４  脚
３５  凹部
３６  脚
３７  フレーム
３８  フレームパーツ
３９  フレームパーツ
４０  正面側
４１  背面側
４２  水平狭側部
４３  垂直狭側部
４４  脚
４５  脚
４６  開口部
４７  開口部
４８  ホルダ
４９  スプライスケース
５０  ファイバガイド部材
５１  アンカー部材
５２  ガイド溝
５３  ガイド溝
５４  隔壁
５５  開口部
５６  ガイド溝仕切り
５７  ガイド溝仕切り
５８  隔離網
５９  開口部
６０  ガイド溝
６１  固定素子
６２  配向溝
６３  部品
６４  ストッパ
６５  マルチファイババッファ管
６６  光ファイバ
６７  軸体
６８  開口部
６９  ガイド網
７０  ガイド網
７１  内壁
７２  ガイド網
７３  ガイドリブ
７４  ガイドリブ
７５  ガイド溝
７６  円形ガイド
７７  円形ガイド
７８  円形ガイド
７９  円形ガイド
８０  収容空間
８１  スプライス
８２  引き出し
８３  取っ手８３
８４  ガイド
８５  フード型スリーブ
８６  隔壁
８７  隔壁
８８  収容空間
８９  ガイド溝
９０  偏向用円筒
９１  偏向用円筒
９２  ガイドリブ
９３  ガイドリブ
９４  凹部
９５  収容板
９６  ガイドレール
９７  矢印
９８  係留部材
９９  隔離網
【図１】
2006508402.tif 000003
【図２】
2006508402.tif 000004
【図３】
2006508402.tif 000005
【図４】
2006508402.tif 000006
【図５】
2006508402.tif 000007
【図６】
2006508402.tif 000008
【図７】
2006508402.tif 000009
【図８】
2006508402.tif 000010
【図９】
2006508402.tif 000011
【図１０】
2006508402.tif 000012
【図１１】
2006508402.tif 000013
【図１２】
2006508402.tif 000014
【図１３】
2006508402.tif 000015
【図１４】
2006508402.tif 000016
【図１５】
2006508402.tif 000017
【図１６】
2006508402.tif 000018
【図１７】
2006508402.tif 000019
【図１８】
2006508402.tif 000020
【図１９】
2006508402.tif 000021
【図２０】
2006508402.tif 000022
【図２１】
2006508402.tif 000023
【図２２】
2006508402.tif 000024
【図２３】
2006508402.tif 000025
【図２４】
2006508402.tif 000026
【図２５】
2006508402.tif 000027
【図２６】
2006508402.tif 000028
【図２７】
2006508402.tif 000029
【図２８】
2006508402.tif 000030
【図２９】
2006508402.tif 000031
【図３０】
2006508402.tif 000032
【図３１】
2006508402.tif 000033
【図３２】
2006508402.tif 000034
【図１】
2006508402.tif 000035
【国際調査報告】
2006508402.tif 000036
2006508402.tif 000037
2006508402.tif 000038
2006508402.tif 000039
2006508402.tif 000040
2006508402.tif 000041
2006508402.tif 000042
2006508402.tif 000043
2006508402.tif 000044
2006508402.tif 000045
2006508402.tif 000046
2006508402.tif 000047